(57)【要約】      （修正有）【課題】簡単で効果的に吃音を矯正することができる吃音矯正用口形符リードプレート付ノートを提供する。【解決手段】母音発声時の母音特有の口形を母音毎に図示した口形符のイラストを表記すると共に、母音の文字と各母音毎に関係する子音の文字を並べて一覧表記したリードプレート５と、発声したい文字を書き込む複数枚の単音書き込み用紙７を綴り込み、単音書き込み用紙７に、複数の単音書き込み枠と、各の単音書き込み枠の内部に母音書き込み枠が表記されている。【選択図】図１
0003134170.tif 000002
【実用新案登録請求の範囲】
【請求項１】
母音発声時の母音特有の口形を母音毎に図示した口形符イラストを表記すると共に、母音の文字と各母音毎に関係する子音の文字を並べて一覧表記したリードプレートと、発声したい文字と口形符を書き込む複数枚の単音書き込み用紙を綴り込んで形成され、前記単音書き込み用紙に、複数の単音書き込み枠と、各の単音書き込み枠の内部に母音書き込み枠が表記され、子音発声時にその母音が直ぐ判るようにした吃音矯正用口形符リードプレート付ノート。
【請求項２】
上記リードプレートの母音の文字と各母音毎に関係する子音の文字にローマ字が併記されている請求項１に記載の吃音矯正用口形符リードプレート付ノート。
【請求項３】
上記リードプレートと単音書き込み用紙に加え、単音書き込み用紙の単音書き込み枠に単音と母音書き込み枠を予め表記した書き方の見本用紙と、使用の手順を順番に説明した説明用紙を綴り込んだ請求項１又は２に記載の吃音矯正用口形符リードプレート付ノート。
【考案の詳細な説明】
【技術分野】
【０００１】  この考案は、吃音者が発生練習に用いる吃音矯正用口形符リードプレート付ノートに関する。
【背景技術】
【０００２】  吃音の矯正方法は従来から種々提案されており、発声時に人の口許を真似させたり、あるいは深呼吸法とか精神的緊張の赤面症に対する度胸の鍛錬など数々あるが、特に吃音は病気ではなく、真似からおこる本人責任の障害が大半であり、医学においても吃音科はなく、医師も手を離しているのが現状である。
【考案の開示】
【考案が解決しようとする課題】
【０００３】  吃音は潜在的に人の社会的将来を悩まし、通常の職業に就きにくかったり、いじめによる不登校の原因にもなるが、従来提案されている矯正方法は、長い年月と経費がかかるわりに矯正率は十分ではなく、中にはあきらめて生涯を送る人もあり、このため、簡単で効果的に吃音の矯正ができる手段の提案が待たれているのが現状である。【０００４】  そこで、この考案の課題は、吃音者の最大の問題は、話し言葉の単音が自由に言えないことであり、話し言葉の単音には、アイウエオの母音と各母音につながる子音があり、言い換えれば、各子音には決まった母音があり、話さんとする単音の母音が判ればスムースに話せる点に着目し、発音せんとする単音の母音を目で見て直ぐに判断することができ、しかも、母音の発音に適した口形を知ることにより、簡単で効果的に吃音を矯正することができる吃音矯正用口形符リードプレート付ノートを提供することにある。
【課題を解決するための手段】
【０００５】  上記のような課題を解決するため、この考案は、母音発声時の母音特有の口形符を母音毎に図示した口形イラストを表記すると共に、母音の文字と各母音毎に関係する子音の文字を並べて一覧表記したリードプレートと、発声したい文字と口形符を書き込む複数枚の単音書き込み用紙を綴り込んで形成され、前記単音書き込み用紙に、複数の単音書き込み枠と、各の単音書き込み枠の内部に母音書き込み枠が表記され、子音発声時にその母音が直ぐ判るようにした構成を採用したものである。【０００６】  上記リードプレートの母音の文字と各母音毎に関係する子音の文字にローマ字が併記されているようにしたり、上記リードプレートと単音書き込み用紙に加え、単音書き込み用紙の単音書き込み枠に単音と母音書き込み枠を予め表記した書き方の見本用紙と、使用の手順を順番に説明した説明用紙を綴り込んだ構造とすることができる。【０００７】  ここで、リードプレートは、紙面の上部に母音特有の口形符が母音毎に並べて順番に印刷され、その下の余白に、縦書きで左端に並べて母音の文字と各母音毎に関係する横書きの子音の文字を並べて一覧表にし、これらが区画された枠内に収まるように印刷され、母音の口形符と各子音に関与する母音とが人目で確認できるようになっている。【０００８】  また、単音書き込み用紙の単音書き込み枠は、角枠内を縦線と横線で区切ることにより、複数が縦と横に並ぶように印刷され、母音書き込み枠は、各単音書き込み枠の内部で左上部コーナの位置に破線で表記され、単音書き込み枠に話したい単音を書き込み、母音書き込み枠にその母音を赤ペン等で記入する。
【考案の効果】
【０００９】  この考案によると、母音の口形符イラストと母音の文字と各母音毎に関係する子音の文字を並べて一覧表記したリードプレートと、複数の単音書き込み枠と、各の単音書き込み枠の内部に母音書き込み枠が表記されている単音書き込み用紙を綴り込んだので、リードプレートによって母音の口形符と各子音に関与する母音とが一目で確認でき、しかも、単音書き込み枠に話したい単音と母音書き込み枠にその母音を書き込むことにより、発音したい単音の母音が忘れることなく簡単にわかり、口形符イラストを見て該当する母音の口形にして歯を開けたり噛んだりして発声することにより、子音とそれに続く母音の発声がスムースに行え、子音も母音も話せることになり、人の口の変化を見るよりも、口形符に従えば、ハッキリ口の形が判り、口形を忘れずして発生の練習ができることで、簡単で効果的に吃音を矯正できることになる。
【考案を実施するための最良の形態】
【００１０】  以下、この考案の実施の形態を添付図面に基づいて説明する。【００１１】  図１のように、吃音矯正用口形符リードプレート付のノート１は、例えば、手帳程度の大きさを有し、表紙２と背表紙３の間に、複数枚の説明用紙４と、一枚のリードプレート５と、単音書き方の見本用紙６と、複数枚の単音書き込み用紙７を綴り込んだ構造になっている。【００１２】  上記リードプレート５は、図３のように、紙面の上部に母音特有のアイウエオの各口形符８を示すイラストが母音毎に並べて順番に印刷され、その下の余白に、縦書きで左端に並べて母音９の文字と各母音毎に関係する横書きの子音１０の文字を並べて一覧表にし、カタカナで表示した母音と子音にはローマ字を併記し、これらが区画された枠内に収まるように印刷され、母音の口形と各子音に関与する母音とが口形符８により一目で確認できるようになっている。【００１３】  上記単音書き込み用紙７は、図５のように、紙面上に複数の単音書き込み枠１１と、各の単音書き込み枠１１の内部に母音書き込み枠１２が表記され、単音書き込み枠１１は、角枠内を縦線と横線で区切ることにより、複数が縦と横に並ぶように印刷され、母音書き込み枠１２は、各単音書き込み枠１１の内部で左上部コーナの位置に破線で表記され、単音書き込み枠１１に話したい単音を書き込み、母音書き込み枠１２にその母音を書き込むようにする。【００１４】  上記単音書き方の見本用紙６は、図４のように、単音書き込み用紙７と同様のものを用い、単音書き込み枠１１ａに単音１３と母音書き込み枠１２ａに母音９を予め表記したものであり、単音書き込み用紙への書き込み例を示している。【００１５】  上記説明用紙４は、図２に例示するように、このノート１の使用手順や書き込み例を箇条書きにして順番に表記したものであり、これを読むことによりノート１の使い方と発声練習が理解できるようになっている。【００１６】  この考案の吃音矯正用口形符リードプレート付のノート１は、上記のような構成であり、次にこのノート１を用いた吃音の矯正方法を説明する。【００１７】  先ず、説明用紙４に記載されている説明書を理解した上で、リードプレート５を開き、母音９の口形と各子音１０に関与する母音９の関係を覚え、次に、単音書き込み用紙７の単音書き込み枠１１に発音したい単音をカタカナやローマ字で書き込み、その母音書き込み枠１２に単音の母音を赤色等で書き込み、説明用紙６で示すような横方向に一つの流れ言葉として記載する。【００１８】  吃音者は、健常者の口の動きを観察しても、最初の言葉の口形は判っていても、次の口形はあいまいであり、かつ、瞬間に覚えなければならない。この発明のリードプレート５により、健常者の口許を見ることなく、自分の口を発声せんとする言葉の母音や子音をリードプレート５に図示されている母音の口形符８を参考にして発声するようにすれば、子音とそれに続く母音の発声がスムースに行え、子音も母音も話せることになり、口形符８に従えば、ハッキリ口の形が判り、忘れずして発生の練習ができることで、簡単で効果的に吃音を矯正できることになる。【００１９】  上記発声時には、取り立てて大きく息を吸う必要はなく、言いにくい言葉は数知れずあるが、こ���を単音書き込み用紙７に書きとめ、リードプレート５に図示されている母音の口形符８にして発声すれば、人の口許の変化を見るよりも、ハッキリと口の形がわかり、口形を忘れずして発生の練習ができ、これを繰り返すことによって吃音を簡単に短時間で効率よく矯正することができる。
【図面の簡単な説明】
【００２０】
【図１】この考案に係るノートを示す一部切り欠き斜視図
【図２】この考案に係るノートの説明用紙の一部を示す平面図
【図３】この発明に係るノートのリードプレートを示す平面図
【図４】この考案に係るノートの単音書き方の見本用紙を示す平面図
【図５】この発明に係るノートの単音書き込み用紙を示す平面図
【符号の説明】
【００２１】１        ノート
２        表紙
３        背表紙
４        説明用紙
５        リードプレート
６        単音書き方の見本用紙
７        単音書き込み用紙
８        口形符
９        母音
１０      子音
１１      単音書き込み枠
１２      母音書き込み枠
【図１】
0003134170.tif 000003
【図２】
0003134170.tif 000004
【図３】
0003134170.tif 000005
【図４】
0003134170.tif 000006
【図５】
0003134170.tif 000007